(57)【特許請求の範囲】
【請求項１】
所定の更新確認タイミングに通信ネットワーク上のサーバにコンテンツの取得要求を送信し該コンテンツが更新されている場合に該更新済みのコンテンツを受信する更新確認処理を自動実行可能な通信端末であって、
所定期間だけ前記更新確認処理が可能な特別コンテンツを提供するサーバの接続先情報を記憶する手段と、
当該通信端末による通信ネットワークを介した通信サービスの利用を開始する所定の通信利用開始処理を行ったときに、その通信利用開始処理時を起点として、前記特別コンテンツ用の接続先情報に基づく前記更新確認処理を開始する手段と、
を備えたことを特徴とする通信端末。
【請求項２】
請求項１の通信端末において、
前記所定の通信利用開始処理は、通信ネットワークにおける通信初期設定のための情報を管理サーバから取得するネットワーク自動調整処理であることを特徴とする通信端末。
【請求項３】
請求項１又は２の通信端末において、
前記所定期間が経過した後に前記特別コンテンツの取得要求を前記サーバに送信したとき、該所定期間が経過した旨を示すメッセージを前記サーバから受信する手段を更に備えたことを特徴とする通信端末。
【請求項４】
請求項１、２又は３の通信端末において、
前記特別コンテンツの取得要求を前記サーバに送信したとき、
前記更新確認処理が可能な期間が設定されていない通常コンテンツの登録を促す画面を表示する手段を更に備えたことを特徴とする通信端末。
【請求項５】
請求項１乃至４のいずれかの通信端末において、
前記特別コンテンツの取得要求を前記サーバに送信したとき、前記特別コンテンツを前記更新確認の対象から外すための削除用識別子を受信する手段と、
前記受信した削除用識別子に基づいて、前記特別コンテンツを前記更新確認の対象から外す処理を自動実行する手段と、
を更に備えたことを特徴とする通信端末。
【請求項６】
請求項１乃至５のいずれかの通信端末において、
前記特別コンテンツは、前記サーバによって収集されたＷＥＢコンテンツの要約情報であることを特徴とする通信端末。
【請求項７】
通信ネットワークを介して通信端末に提供されるコンテンツを管理するサーバであって、
コンテンツを記憶する手段と、
通信端末から所定の更新確認タイミングに送信された、所定期間だけ更新確認処理が可能な特別コンテンツの取得要求を受信する手段と、
前記特別コンテンツの取得要求を送信してきた通信端末又はその利用者の情報を確認し、その通信端末又はその利用者の情報が未登録の場合は、その最初の取得要求日の情報と、前記通信端末又は利用者の情報と、前記特別コンテンツの識別情報と関連付けて記憶する手段と、
前記最初の取得要求日の情報に基づいて、前記通信端末から前記取得要求を受信した特別コンテンツについて前記所定期間が経過しているか否か判定する期間判定手段と、
前記期間判定手段の判定結果に基づいて、前記特別コンテンツの取得要求に対する応答を前記通信端末に送信する手段と、
を備えたことを特徴とするサーバ。
【請求項８】
請求項７のサーバにおいて、
前記期間判定手段で前記所定期間が経過していると判定された場合に、前記取得要求に対する応答として、該所定期間が経過した旨を示すメッセージを前記通信端末に送信する手段を更に備えたことを特徴とするサーバ。
【請求項９】
請求項７又は８のサーバにおいて、
前記特別コンテンツの取得要求を前記通信端末から受信したとき、前記特別コンテンツを前記更新確認の対象から外すための削除用識別子を前記通信端末に送信する手段を更に備えたことを特徴とするサーバ。
【請求項１０】
請求項７乃至９のいずれかのサーバにおいて、
前記特別コンテンツの取得要求を前記通信端末から受信したとき、前記更新確認処理が可能な期間が設定されていない通常コンテンツの登録を促すメッセージを前記通信端末に送信する手段を更に備えたことを特徴とするサーバ。
【請求項１１】
請求項７乃至１０のいずれかのサーバにおいて、
前記通信端末が前記特別コンテンツの更新確認処理を実行するときの通信について、その通信料及び情報料の少なくとも一方を非課金処理対象とするための情報を付加して課金処理用の通信利用情報を生成する手段を更に備えたことを特徴とするサーバ。
【請求項１２】
請求項７乃至１１のいずれかのサーバにおいて、
前記特別コンテンツは、当該サーバによって収集されたＷＥＢコンテンツの要約情報であることを特徴とするサーバ。
【請求項１３】
請求項１２のサーバにおいて、
互いに異なる複数のＷＥＢコンテンツの要約情報を編集して一つの要約情報に集約するときに用いられる集約管理情報として、前記ＷＥＢコンテンツの種別、個数及び取得時刻が予め設定された複数種類の集約管理情報を記憶する手段と、
前記複数種類の集約管理情報から選択された集約管理情報に基づいて、前記要約情報の集約を行う手段と、
を更に備えたことを特徴とするサーバ。
【発明の詳細な説明】
【技術分野】
【０００１】
本発明は、携帯電話機等の通信端末及び通信ネットワークを介して通信端末に提供するコンテンツを管理するサーバに関するものである。
【背景技術】
【０００２】
従来、ＷＥＢコンテンツの要約情報を取得して表示する携帯電話機（通信端末）が知られている（例えば、非特許文献１）。このＷＥＢコンテンツの要約情報のデータは、携帯電話機からの取得要求に応じて、例えばＲＳＳと呼ばれるフォーマットで送信される。このＲＳＳは、コンテンツ提供サーバとしてのＷＥＢサーバで提供されるＷＥＢコンテンツの要約情報（見出しや更新情報等を含む）のメタデータを構造化して記述するＸＭＬ（Extensible Markup Language）ベースのフォーマットである。ＲＳＳはいくつかのバージョン（RSS0.9X, RSS1.0, RSS2.0, Atom）が存在し、バージョンごとに「Rich Site Summary」、「Really Simple Syndication」、「RDF Site Summary」という正式名称で呼ばれている。このＲＳＳフォーマットで記述された文書は「ＲＳＳフィード」と呼ばれ、上記ＲＳＳフィードを受信して表示するソフトウェアは「ＲＳＳリーダ」と呼ばれている。ＷＥＢコンテンツが更新されると、携帯電話機からの取得要求に応じて、更新後のＷＥＢコンテンツの要約情報を反映したＲＳＳフィードが携帯電話機に送信される。
【０００３】
【非特許文献１】「携帯ポータルアプリ」、［ｏｎｌｉｎｅ］、QUEST-COM株式会社、［２００６年３月３日検索］、インターネット（ＵＲＬ：http://rsseye.qusco.cc/）
【発明の開示】
【発明が解決しようとする課題】
【０００４】
ところが、上記ＲＳＳフィードを携帯電話機に登録して更新確認処理を開始するには、例えば、ＷＥＢサーバにアクセスしてＷＥＢコンテンツを表示し、そのＷＥＢコンテンツに設定されているＲＳＳフィード登録用のアイコンを探してクリックするという煩雑な操作を行う必要がある。そのため、携帯電話機ではＲＳＳフィードがあまり普及していなかった。
このような課題は、上記ＲＳＳフィードの場合だけでなく、携帯電話機等の通信端末に更新確認の対象のコンテンツを予め登録し、所定の更新タイミングに通信ネットワーク上のサーバにアクセスして上記登録したコンテンツについて更新確認処理を行う場合において、同様に発生し得るものである。
【０００５】
本発明は、上記問題に鑑みなされたものであり、その目的とするところは、通信端末の煩雑な操作を伴うことなく、所定期間だけ更新確認処理が可能な特別コンテンツの更新確認処理を開始することができる通信端末及びサーバを提供することである。
【課題を解決するための手段】
【０００６】
本発明に係る通信端末は、所定の更新確認タイミングに通信ネットワーク上のサーバにコンテンツの取得要求を送信し該コンテンツが更新されている場合に該更新済みのコンテンツを受信する更新確認処理を自動実行可能な通信端末であって、所定期間だけ前記更新確認処理が可能な特別コンテンツを提供するサーバの接続先情報を記憶する手段と、当該通信端末による通信ネットワークを介した通信サービスの利用を開始する所定の通信利用開始処理を行ったときに、その通信利用開始処理時を起点として、前記特別コンテンツ用の接続先情報に基づく前記更新確認処理を開始する手段と、を備える。
前記通信端末において、前記所定の通信利用開始処理は、通信ネットワークにおける通信初期設定のための情報を管理サーバから取得するネットワーク自動調整処理であってもよい。この通信端末では、通信ネットワークにおける通信初期設定のためのネットワーク自動調整処理が実行され、通信ネットワーク上のサーバとの通信が可能になったタイミングを起点として、特別コンテンツに対する更新確認処理が開始される。
また、前記通信端末において、前記所定期間が経過した後に前記特別コンテンツの取得要求を前記サーバに送信したとき、該所定期間が経過した旨を示すメッセージを前記サーバから受信する手段を更に備えてもよい。この通信端末では、前記所定期間が経過した後に特別コンテンツの取得要求をサーバに送信したとき、その所定期間が経過した旨を示すメッセージをサーバから受信することにより、前記所定期間が経過したことを前記通信端末の利用者に警告することができる。
ここで、前記所定期間は、前記特別コンテンツが登録された前記通信端末ごとに又はその通信端末の利用者ごとに設定してもよい。
また、前記通信端末において、前記更新確認処理が可能な期間が設定されていない通常コンテンツの登録を促す画面を表示する手段を更に備えてもよい。この通信端末では、前記通常コンテンツを更新確認処理対象のコンテンツとして登録することを、利用者に促すことができる。
また、前記通信端末において、前記更新確認処理が可能な期間が設定されていない通常コンテンツを登録する本登録が行われたときに該通常コンテンツを提供するサーバの接続先情報を記憶する手段と、前記本登録の後、前記通常コンテンツ用の接続先情報に基づき前記通常コンテンツに対する更新確認処理を開始する手段と、を更に備えてもよい。この通信端末では、前記登録の後、前記通常コンテンツの更新確認処理を開始することができる。
また、前記通信端末において、前記特別コンテンツの取得要求を前記サーバに送信したとき、前記特別コンテンツを前記更新確認の対象から外すための削除用識別子を受信する手段と、前記受信した削除用識別子に基づいて、前記特別コンテンツを前記更新確認の対象から外す処理を自動実行する手段と、を更に備えてもよい。この通信端末では、サーバから受信した削除用識別子に基づいて、特別コンテンツを更新確認の対象から強制的に外すことができるため、特別コンテンツの更新確認のための通信による通信ネットワークの負荷増大等を防止できる。ここで、前記通信端末が削除用識別子を受信する場合としては、例えば、前記所定期間が経過した旨を示すメッセージを受信してから、前記特別コンテンツを前記更新確認処理が可能な期間が設定されていない通常コンテンツとして登録する本登録が行われずに又は前記特別コンテンツを前記更新確認の対象から外す手動操作が行われずに、所定の猶予期間が経過した後に、前記特別コンテンツの取得要求をサーバに送信した場合が挙げられる。
また、前記通信端末において、前記特別コンテンツは、前記サーバによって収集されたＷＥＢコンテンツの要約情報であってもよい。また、前記特別コンテンツは、前記サーバによって収集された複数のＷＥＢコンテンツの要約情報を集約した集約要約情報であってもよい。この通信端末では、通信端末の煩雑な操作を伴うことなく、所定の更新確認タイミングが設定された特別コンテンツとして、複数のＷＥＢコンテンツの要約情報を集約した集約要約情報の更新確認処理を開始することができる。これにより、１回の自動更新で複数のＷＥＢコンテンツの要約情報を閲覧することができる。
【０００７】
本発明に係るサーバは、通信ネットワークを介して通信端末に提供されるコンテンツを管理するサーバであって、コンテンツを記憶する手段と、通信端末から所定の更新確認タイミングに送信された、所定期間だけ更新確認処理が可能な特別コンテンツの取得要求を受信する手段と、前記特別コンテンツの取得要求を送信してきた通信端末又はその利用者の情報を確認し、その通信端末又はその利用者の情報が未登録の場合は、その最初の取得要求日の情報と、前記通信端末又は利用者の情報と、前記特別コンテンツの識別情報と関連付けて記憶する手段と、前記最初の取得要求日の情報に基づいて、前記通信端末から前記取得要求を受信した特別コンテンツについて前記所定期間が経過しているか否か判定する手段と、前記期間判定手段の判定結果に基づいて、前記特別コンテンツの取得要求に対する応答を前記通信端末に送信する手段と、を備える。
ここで、前記所定期間は、前記特別コンテンツが登録された前記通信端末ごとに又はその通信端末の利用者ごとに設定してもよい。
前記サーバにおいて、前記期間判定手段で前記所定期間が経過していると判定された場合に、前記取得要求に対する応答として、該所定期間が経過した旨を示すメッセージを前記通信端末に送信する手段を更に備えてもよい。このサーバでは、前記所定期間が経過した後に特別コンテンツの取得要求を通信端末から受信したとき、その所定期間が経過した旨を示すメッセージを通信端末に送信することにより、通信端末において所定期間経過後の特別コンテンツの利用を制限するような制御が可能になる。
また、前記サーバにおいて、前記特別コンテンツの取得要求を前記通信端末から受信したとき、前記特別コンテンツを前記更新確認の対象から外すための削除用識別子を前記通信端末に送信する手段を更に備えてもよい。このサーバでは、前記特別コンテンツの取得要求を通信端末から受信したとき、その取得要求に対する応答として削除用識別子を通信端末に送信することにより、通信端末において特別コンテンツを更新確認の対象から強制的に外すような制御が可能になる。ここで、前記サーバが通信端末に削除用識別子を送信する場合としては、例えば、前記所定期間が経過した旨を示すメッセージを通信端末に送信してから所定の猶予期間が経過した後に、前記特別コンテンツの取得要求を当該通信端末から受信した場合が挙げられる。
また、前記サーバにおいて、前記特別コンテンツの取得要求を前記通信端末から受信したとき、前記更新確認処理が可能な期間が設定されていない通常コンテンツの登録を促すメッセージを前記通信端末に送信する手段を更に備えてもよい。このサーバでは、前記通常コンテンツの登録を促すメッセージのデータを通信端末に保存しておく必要がなく、また、上記メッセージの内容をサーバ側で任意に変更し通信端末に表示させることができる。
また、前記サーバにおいて、前記通信端末が前記特別コンテンツの更新確認処理を実行するときの通信について、その通信料及び情報料の少なくとも一方を非課金処理対象とするための情報を付加して課金処理用の通信利用情報を生成する手段を更に備えてもよい。このサーバでは、通信端末が特別コンテンツの更新確認処理を実行するときの通信について通信料及び情報料の少なくとも一方が課金されないため、特別コンテンツの利用を促進することができる。
ここで、前記非課金処理対象とするための情報は、前記特別コンテンツの更新確認処理が実行できるように提供される通信サービスを識別する通信サービス識別情報であってもよい。
また、前記サーバにおいて、前記特別コンテンツは、当該サーバによって収集されたＷＥＢコンテンツの要約情報であってもよい。このサーバでは、通信端末の煩雑な操作を伴うことなく、所定の更新確認タイミングが設定された特別コンテンツとして、ＷＥＢコンテンツの要約情報の更新確認処理を通信端末で開始することができる。
また、前記サーバにおいて、互いに異なる複数のＷＥＢコンテンツの要約情報を編集して一つの要約情報に集約するときに用いられる集約管理情報として、前記ＷＥＢコンテンツの種別、個数及び取得時刻が予め設定された複数種類の集約管理情報を記憶する手段と、
前記複数種類の集約管理情報から選択された集約管理情報に基づいて、前記要約情報の集約を行う手段と、更に備えてもよい。このサーバでは、互いに異なる複数のＷＥＢコンテンツの要約情報を編集して一つの要約情報を、サーバから通信端末に送信することができるため、複数のＷＥＢコンテンツの要約情報それぞれを個別に送信する場合に比して通信ネットワークの負荷の軽減を図ることができる。更に、予め用意された集約管理情報に基づいて前記要約情報の集約を行うことにより、前記要約情報の集約処理の負荷を軽減できる。しかも、前記複数種類の集約管理情報から選択される集約管理情報を切り換えたり、集約管理情報に設定されているＷＥＢコンテンツの種別、個数及び取得時刻を修正したり、集約管理情報の追加や削除を行ったりすることにより、前記要約情報の集約の態様を簡易に変更できる。
【発明の効果】
【０００８】
本発明によれば、通信端末による通信ネットワークを介した通信サービスの利用を開始する所定の通信利用開始処理を行ったときに、その通信利用開始処理時を起点として、所定期間だけ更新確認処理が可能な特別コンテンツに対する更新確認処理が開始される。よって、通信端末の煩雑な操作を伴うことなく、前記特別コンテンツの更新確認処理を開始することができるという効果がある。
【発明を実施するための最良の形態】
【０００９】
以下、図面を参照して本発明の実施の形態について説明する。
図１は本実施形態に係る通信システム全体の概略構成の一例を示す説明図である。この通信システムは、携帯型の通信端末（移動体通信端末）としての携帯電話機１０と、移動体通信事業者によって管理されている通信ネットワーク（移動体通信ネットワーク）としての携帯電話通信網２０とを用いて構成されている。携帯電話通信網２０は、基地局２０１や図示しない交換機（回線交換機、パケット交換機）等を備え、図示しないゲートウェイサーバを介してインターネット３０等の他の通信ネットワークに接続されている。また、インターネット３０には、ＷＥＢコンテンツを提供するコンテンツ提供サーバとしてのＷＥＢサーバ４１が設けられている。ＷＥＢサーバ４１は、各種ＷＥＢコンテンツのほか、そのＷＥＢコンテンツの要約情報としてのＲＳＳフィードも提供する。また、ＷＥＢサーバ４１は携帯電話通信網２０側に設けてもよい。
【００１０】
また、本実施形態の通信システムは、ＷＥＢサーバ４１から携帯電話機１０に提供されるコンテンツのＲＳＳフィードを管理するように携帯電話通信網２０上に設けられたコンテンツ管理サーバ４０を備えている。このコンテンツ管理サーバ４０は、ＷＥＢサーバ４１から提供されるコンテンツのＲＳＳフィードを集約して携帯電話機１０に提供する機能も有しているため、以下、本実施形態では、このコンテンツ管理サーバ４０を「集約サーバ」と呼ぶ。集約サーバ４０は、インターネット３０を介してＷＥＢサーバ４１と通信可能に構成されている。この集約サーバ４０からインターネット３０へのアクセスは、携帯電話通信網２０に設けられた図示しないゲートウェイを介して行ってもよい。この集約サーバ４０と前述のＷＥＢサーバ４１とを用いて、携帯電話通信網２０を介して携帯電話機１０にＷＥＢコンテンツのＲＳＳフィードを提供する情報提供システムが構成されている。また、集約サーバ４０は、ＷＥＢサーバ機能を有し、携帯電話通信網２０を介して携帯電話機１０と通信可能に構成されている。
【００１１】
これらのサーバ４０、４１から携帯電話機１０にコンテンツやＲＳＳフィードをダウンロードするときには、ネットワークの各階層において所定の通信プロトコルが用いられる。例えば、ＷＥＢサーバ４１からＷＥＢページをダウンロードするときのアプリケーション層の通信プロトコルとしては、ＨＴＴＰ（Hyper Text Transfer Protocol）が用いられる。
【００１２】
図２は、上記ＷＥＢサーバ４１のハードウェア構成の一例を示すブロック図である。このＷＥＢサーバ４１は、システムバス４００、ＣＰＵ４０１、ＲＡＭ４０２、ＲＯＭ４０３、外部記憶装置４０４、入力装置４０５、出力装置４０６、及びインターネット用通信装置４０７を備えている。上記ＲＡＭ４０２やＲＯＭ４０３等は内部記憶装置として用いられる。上記外部記憶装置４０４は、ハードディスクドライブ（ＨＤＤ）や光ディスクドライブ等で構成されている。上記入力装置４０５は、マウスやキーボード等で構成されている。上記出力装置４０６は、ディスプレイやプリンタ等で構成されている。上記通信装置４０７は、所定の通信プロトコルにより、携帯電話通信網２０を介して他の携帯電話機や他のサーバと通信したり、インターネット３０上の各種クライアント端末や他のサーバと通信したりするための装置である。
【００１３】
上記ＣＰＵ４０１やＲＡＭ４０２等の構成要素はお互いに、システムバス４００を介して、データやプログラムの命令等のやり取りを行っている。このＷＥＢサーバ４１を所定の手順に従って動作させるためのプログラムはＲＯＭ４０３や外部記憶装置４０４に記憶されており、必要に応じてＣＰＵ４０１やＲＡＭ４０２上の作業エリアに呼び出されて実行される。
【００１４】
また、上記ＷＥＢサーバ４１はそれぞれ一部又は全体を専用の制御装置として構成してもいいし、一部又は全体を汎用のコンピュータシステムを用いて構成してもよい。また、ＷＥＢサーバ４１はそれぞれ、１台のコンピュータで構成してもいいし、複数の機能をそれぞれ受け持つ複数台のコンピュータをネットワークで結んで構成してもよい。
【００１５】
図３は、ＷＥＢサーバ４１の構成例を示す機能ブロック図である。ＷＥＢサーバ４１は、記憶手段４１５と受信手段４１６と送信手段４１７とを備えている。このＷＥＢサーバ４１は、ＣＰＵ等からなるハードウェア上で所定のプログラムを実行することにより、上記各手段の機能を実現している。上記記憶手段４１５は、上記内部記憶装置や外部記憶装置４０４で構成され、携帯電話機１０で受信可能な各種ＷＥＢコンテンツのデータや、そのＷＥＢコンテンツのＲＳＳフィードのデータを記憶している。
【００１６】
上記受信手段４１６は、上記ＣＰＵ４０１や通信装置４０７等で構成され、上記記憶手段４１５に記憶されている複数種類のＷＥＢコンテンツを要求する取得要求を携帯電話機１０から受信する。また、受信手段４１６は、上記ＷＥＢコンテンツのＲＳＳフィードを要求する取得要求を集約サーバ４０から受信する。
【００１７】
上記送信手段４１７は、上記ＣＰＵ４０１や通信装置４０７等で構成され、携帯電話機１０からの取得要求に応じてＷＥＢコンテンツのデータを携帯電話機１０に送信する。また、送信手段４１７は、集約サーバ４０からの取得要求に応じてそのＷＥＢコンテンツのＲＳＳフィードのデータを集約サーバ４０に送信する。
【００１８】
上記ＷＥＢコンテンツのＲＳＳフィードのデータは、ＲＳＳのフォーマットでＷＥＢサーバ４１から集約サーバ４０に配信されて集約されるとともに、携帯電話機１０からの取得要求に応じて集約サーバ４０から携帯電話機１０に配信される。携帯電話機１０は、このＲＳＳのフォーマットで記述された文書（ＲＳＳフィード）を受信して表示するソフトウェアであるＲＳＳリーダを備えている。ＷＥＢコンテンツが更新されると、その更新後のＷＥＢコンテンツのＲＳＳフィードを反映したＲＳＳフィードが作成される。この更新後のＲＳＳフィードが、携帯電話機１０からの取得要求に応じて集約サーバ４０から携帯電話機１０に送信される。上記ＲＳＳフィードとしては、例えば、一般ニュース、音楽情報、ブログ、天気予報、ＣＤや映画などの売り上げランキング等のコンテンツのＲＳＳフィードが挙げられる。
【００１９】
図４は携帯電話機１０の一構成例を示す外観図であり、図５は、その携帯電話機１０のハードウェア構成の一例を示す概略構成図である。携帯電話機１０は、システムバス１００、ＣＰＵ１０１、ＲＡＭ１０２やＲＯＭ１０３等の記憶装置、入力装置１０４、出力装置１０５及び携帯電話通信網用通信装置１０６を備えている。ＣＰＵ１０１やＲＡＭ１０２等の構成要素は、システムバス１００を介して、互いに各種データやプログラムの命令等のやり取りを行っている。
【００２０】
上記ＣＰＵ１０１は、上記記憶装置から所定のプログラムを読み込んで実行することにより、ネイティブ側の電話機プラットフォームの基本ソフト（ＯＳ）上で、音声通話機能や、アプリケーションソフト（以下「アプリケーション」という。）による各種機能を実現することができる。このアプリケーションによる機能としては、ＲＳＳリーダ、ＷＥＢブラウザ、メーラー、外部装置とのデータ送受信、アドレス帳管理、スケジューラ、メモ帳等がある。
【００２１】
また、上記ＣＰＵ１０１は、上記記憶装置から所定のプログラムを読み込んで実行することにより、ネイティブ側の電話機プラットフォーム上でアプリケーションを実行するためのアプリケーション実行環境を構築することができる。そして、このアプリケーション実行環境上で、携帯電話機１０にプリインストールされているアプリケーションや、利用者がダウンロードして登録したアプリケーション等の各種アプリケーションを実行することができる。
【００２２】
上記入力装置１０４は、データ入力キー（テンキー、＊キー、＃キー）１１、通話開始キー１２、終話キー１３、スクロールキー１４、多機能キー１５、マイク１６等から構成されている。この入力装置１０４のテンキー１１、通話開始キー１２、終話キー１３等により、利用者が操作可能な操作部が構成される。この操作部を操作することにより、利用者は、携帯電話機１０に対してコンテンツ取得先のＵＲＬ等のデータを入力したり、電話着信の際に通話の開始及び終了を行ったり、アプリケーションの選択、起動及び停止を行ったりすることができる。また、利用者は上記操作部を操作することにより、上記ＷＥＢサーバ４１や集約サーバ４０から、ＷＥＢコンテンツやその要約情報であるＲＳＳフィード等のコンテンツを取得して表示したり、アプリケーションプログラム等のコンテンツをダウンロードして実行可能に登録したりすることができる。
【００２３】
上記出力装置１０５は、表示手段である液晶ディスプレイ（ＬＣＤ）１７、音出力手段であるスピーカ１８等から構成されている。上記液晶ディスプレイ（ＬＣＤ）１７やスピーカ１８等からなる出力装置等で構成されている出力部は、携帯電話通信網２０を介して受信したＷＥＢページを液晶ディスプレイ（ＬＣＤ）１７に表示したり、携帯電話通信網２０から情報を着信した旨を利用者に知らせたりするときに用いられる。具体的には、その情報を着信すると、出力部の液晶ディスプレイ（ＬＣＤ）１７に着信報知画像を表示したり、スピーカ１８から着信音を出力させたりする。なお、上記スピーカ１８は、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００２４】
上記携帯電話通信網用通信装置１０６は、変復調器、シンセサイザ、周波数変換器，高周波増幅器などにより構成され、携帯電話通信網２０を介して他の携帯電話機や上記サーバ４０，４１等と通信するときに用いられる。この携帯電話通信網用通信装置１０６は、携帯電話通信網２０を介して他の携帯電話機とメールのやり取りを行ったり、携帯電話通信網２０からゲートウェイサーバを介して、インターネット３０等の外部の通信ネットワークに接続し、インターネット３０上での電子メールのやり取り等を行ったりするための通信手段として用いられる。更に、この携帯電話通信網用通信装置１０６は、携帯電話通信網２０を介して、ＷＥＢサーバ４１や集約サーバ４０が提供するＷＥＢコンテンツやその要約情報であるＲＳＳフィード等のコンテンツを取得したり、アプリケーションプログラム等のコンテンツをダウンロードしたり、現在位置の位置情報を含む配信情報を受信したりする通信手段としても用いられる。
【００２５】
また、携帯電話機１０では、ＲＳＳリーダのほかに、例えばメディアコンテンツの再生を行うアプリケーションも、ＷＥＢコンテンツの要約情報であるＲＳＳ（RDF Site Summary）フィードを表示する機能を備えている。また、サービス参加者が互いに友人を紹介しあって、新たな友人関係を広げることを目的に開設されたコミュニティサービス（ソーシャル・ネットワーク・サービス（ＳＮＳ））を利用するためのアプリケーションなども、ＷＥＢコンテンツのＲＳＳフィードを表示する機能を備えている。メディアコンテンツの再生を行うアプリケーションは、音楽情報、ＣＤの売り上げランキング、着うた（登録商標）ランキングなどのＲＳＳフィードが表示されるようになっている。また、上記コミュニティサービスを利用するためのアプリケーションは、友人のブログの更新情報などのＲＳＳフィードが表示されるようになっている。
【００２６】
図６は、本実施形態に係る携帯電話機１０の主要な機能を抽出して示した機能ブロック図である。この携帯電話機１０は、コンテンツ取得手段１１０と表示手段１１１と記憶手段１１２と表示制御手段１１３と更新確認制御手段１１４とを有する。
【００２７】
上記コンテンツ取得手段１１０は上記ＣＰＵ１０１、通信装置１０６等で構成され、ＨＴＴＰ等の所定の通信プロトコルを用いて携帯電話通信網２０を介した通信を行う。このコンテンツ取得手段１１０は、予め設定された接続先情報としての所定のＵＲＩ（Uniform Resource Identifier）に基づいて集約サーバ４０やＷＥＢサーバ４１にアクセスし、そのサーバ４０，４１から取得対象コンテンツとしての前述のＲＳＳフィードを取得する。
【００２８】
上記表示手段１１１は上記ディスプレイ等で構成され、ＲＳＳフィードの表示を行うアプリケーションを起動したときに、集約サーバ４０やＷＥＢサーバ４１から受信した前述のＲＳＳフィードを表示するように制御される。
【００２９】
上記記憶手段１１２は上記ＲＡＭ１０２やＲＯＭ１０３等の記憶装置により構成され、更新確認処理を自動実行する更新確認対象のコンテンツとして、前述のＲＳＳフィード等を記憶している。特に、記憶手段１１２は、更新確認処理を自動実行可能なＲＳＳフィードとして、予め設定された所定期間としての試用期間だけ試用が許可された特別コンテンツとしてのＲＳＳフィード（以下、「特別ＲＳＳフィード」という。）を記憶している。この特別ＲＳＳフィードは、所定の試用期間だけ試用が許可された試用コンテンツ（試用ＲＳＳフィード）ということもできる。この特別ＲＳＳフィードは、例えば携帯電話機にプリインストールされ、更新確認処理を自動実行する更新確認対象にしたり、その更新確認対象から外したりすることができる。
【００３０】
上記表示制御手段１１３は上記ＣＰＵ１０１等で構成され、集約サーバ４０やＷＥＢサーバ４１から受信した前述の特別ＲＳＳフィードなどのＲＳＳフィードを表示するように、表示手段１１１を制御する。また、表示制御手段１１３は、ＲＳＳフィードが未読の場合に、待ち受け画面などのピクト領域に、未読のＲＳＳフィードがある旨のピクト画像を表示するように制御する。また、上記ＲＳＳフィードの表示は、表示手段１１１の画面の一部に設定した帯状の表示エリアにＲＳＳフィードの内容を自動スクロールさせて表示するいわゆるティッカー表示を行うように制御してもよい。
【００３１】
上記更新確認制御手段１１４は上記ＣＰＵ１０１等で構成され、所定の更新確認タイミングに集約サーバ４０やＷＥＢサーバ４１にアクセスし、更新確認対象のＲＳＳフィードについて更新確認処理を実行するように、コンテンツ取得手段１１０を制御する。この更新確認処理は、例えば集約サーバ４０に対して次のように実行される。まず、コンテンツ取得手段１１０は、所定のＵＲＩに基づいて、上記更新確認対象のＲＳＳフィードを要求する取得要求（更新要求）を集約サーバ４０に送信する。そして、取得要求したＲＳＳフィードが更新されている場合は、更新後のＲＳＳフィードを集約サーバ４０から受信して取得する。このＲＳＳフィードの更新確認処理は、例えば携帯電話機に備えた内部時計に従って、所定の更新確認タイミングに実行さえる。例えば、予め設定された所定の更新時刻ごとに、又は予め設定された所定の時間間隔で定期的に実行される。上記集約サーバ４０から受信した更新後のＲＳＳフィードは、例えば携帯電話機１０に更新確認対象として登録されているＲＳＳフィードに上書きされる。なお、上記更新確認対象のＲＳＳフィードが更新されていない場合、上記コンテンツ取得手段１１０は、ＲＳＳフィードを受信する代わりに、集約サーバ４０から更新されていない旨を示す応答メッセージを受信する。
【００３２】
また、上記更新確認制御手段１１４は、携帯電話機１０による通信ネットワークを介した通信サービスの利用を開始する所定の通信利用開始処理を行ったときに、その通信利用開始処理時を起点として、前述の特別ＲＳＳフィードに対する更新確認処理を開始するように制御する。特別ＲＳＳフィードの更新確認処理が開始されると、その特別ＲＳＳフィードについて設定されている所定の更新確認タイミングに集約サーバ４０に取得要求（更新要求）を送信して当該特別ＲＳＳフィードの更新確認処理が実行される。
【００３３】
上記特別ＲＳＳフィードの更新確認開始の基準となる通信利用開始処理は、例えば、利用者が携帯電話機１０の使用を開始するときの携帯電話通信網２０における通信初期設定のための各種情報を所定の管理サーバから取得して設定する１回目のネットワーク自動調整処理である。このネットワーク自動調整処理が行われたときに、そのネットワーク自動調整処理時を起点として、前述の特別ＲＳＳフィードに対する更新確認処理が開始される。ここで、上記ネットワーク自動調整処理では、例えば、携帯電話機１０で実行される携帯電話通信網２０を介した通信を伴うブラウザやメール等のアプリケーションで用いられる接続情報等の各種情報が、セキュリティが確保された通信プロトコルにより所定の管理サーバから受信され、当該アプリケーションの実行時に使用できるように携帯電話機１０内に設定される。なお、上記１回目のネットワーク自動調整処理の後、同じ利用者が携帯電話機１０で再度実行する２回目以降のネットワーク自動調整処理を実行する場合は、上記特別ＲＳＳフィードの更新確認処理が既に開始されているので、上記特別ＲＳＳフィードの更新確認処理を開始する制御は実行されない。また、携帯電話機１０の各種設定が初期状態に戻されるオールリセットが行われた場合は、上記特別ＲＳＳフィードの更新確認処理の設定についても削除されてしまうので、そのオールリセット後に最初に実行されるネットワーク自動調整処理が上記１回目のネットワーク自動調整処理として扱われ、オールリセット後に最初に実行されるネットワーク自動調整処理時を起点として、上記特別ＲＳＳフィードの更新確認処理が開始される。
なお、オールリセット後に再度試用RSSフィードの更新確認処理が開始された場合、サーバ側はユーザー情報が既に登録されているため、試用期間の起算日を当初の更新確認処理が開始されたものとして制御してもよい。
【００３４】
図７は、本実施形態に係る集約サーバ４０のハードウェア構成を示す概略構成図である。集約サーバ４０のハードウェア構成は、上記ＷＥＢサーバ４１と同様、システムバス４２０、ＣＰＵ４２１、ＲＡＭ４２２やＲＯＭ４２３等のメモリからなる内部記憶装置、ハードディスクドライブ（ＨＤＤ）等からなる外部記憶装置４２４、入力装置４２５及び出力装置４２６から構成されている。更に、集約サーバ４０は、インターネット３０を介してデータの送受信を行う第１通信装置４２７と、携帯電話通信網２０を介してデータの送受信を行う第２通信装置４２８とを備えている。上記ＣＰＵ４２１やＲＡＭ４２２等の構成要素は、システムバス４２０を介して、互いにデータやプログラムの命令等のやり取りを行い、その基本的な動作は上記ＷＥＢサーバ４１とほぼ同様である。
【００３５】
なお、集約サーバ４０が直接インターネットにアクセスするのではなく、携帯電話通信網２０に設けられた図示しないゲートウェイを介してインターネットにアクセスする場合は、第１通信装置４２７の代わりに第２通信装置４２８が用いられる。この場合は、第１通信装置４２７を備えていなくてもよい。
【００３６】
また、上記集約サーバ４０は専用の制御装置として構成してもいいし、汎用のコンピュータシステムを用いて構成してもよい。また、１台のコンピュータで構成してもいいし、複数の機能をそれぞれ受け持つ複数台のコンピュータをネットワークで結んで構成してもよい。
【００３７】
図８は、本実施形態に係る集約サーバ４０の主要な機能を抽出して示した機能ブロック図である。この集約サーバ４０は、記憶手段４３０とコンテンツ収集手段４３１とコンテンツ編集手段４３２とコンテンツ配信手段４３３と判定手段４３４とを備え、複数のＷＥＢコンテンツのＲＳＳフィードを集約した集約要約情報としての集約ＲＳＳフィードを各携帯電話機から取得要求に応じて配信することができる。特に、本実施形態に係る集約サーバ４０は、前述の特別ＲＳＳフィードとして、集約ＲＳＳフィードを配信することができる。
【００３８】
上記記憶手段４３０は、上記外部記憶装置や内部記憶装置等で構成され、ＲＳＳ管理ＤＢ（データベース）領域４３０ａとキャッシュ領域４３０ｂと配信コンテンツ保存領域４３０ｃと集約管理情報を管理するテンプレート管理領域４３０ｄと特別コンテンツ登録者管理領域４３０ｅを有している。
【００３９】
上記ＲＳＳ管理ＤＢ領域４３０ａには、各ＷＥＢサーバ４１から収集した複数のＲＳＳフィードを集約した集約ＲＳＳフィードについて、管理識別情報、接続先情報としての接続先ＵＲＩ（ＷＥＢコンテンツ及びそのＲＳＳフィードそれぞれのＵＲＩ）、集約サーバ４０による最新集約処理日時、ＷＥＢサーバ４１におけるＲＳＳフィードの最新更新日時、コンテンツ種別情報、特別コンテンツの対象にするか否かを識別する特別コンテンツ識別情報等のＲＳＳ管理情報が保存されている。上記コンテンツ種別情報は、例えば、ニュース、音楽、ゲーム、天気、テレビ情報、占い等が識別できるように設定される。
【００４０】
表１は、上記ＲＳＳ管理ＤＢ領域４３０ａに保存される特別コンテンツとしての集約ＲＳＳフィードの管理テーブルの一例を示している。この例では、各特別コンテンツＩＤの管理テーブルに、試用期間が経過して正規登録（本番登録）された後の集約ＲＳＳフィードのＵＲＩ、ＲＳＳフィードの収集・集約の基準時である起点、集約ＲＳＳフィードの更新サイクル、集約ＲＳＳフィードに登録可能なサイト数（個別ＲＳＳフィードの数）、集約ＲＳＳフィードに集約される最大集約ｉｔｅｍ数（１ＲＳＳフィード当り）、集約ＲＳＳフィードのタイトル及びディスクリプション等の情報が保存されている。また、この管理テーブルには、特別コンテンツ（集約ＲＳＳフィード）の作成に用いる集約管理情報としてのテンプレート設定情報も保存されている。このテンプレート設定情報としては、例えば、集約ＲＳＳフィードに集約する複数の対象コンテンツ（個別ＲＳＳフィード）それぞれについて、コンテンツの種別名、接続先情報（ＵＲＩ）及び集約ｉｔｅｍ数の情報が保存される。
【００４１】
【表１】
0005107068.tif 000002
【００４２】
表２は、上記ＲＳＳ管理ＤＢ領域４３０ａに保存される収集対象コンテンツの管理テーブルの一例を示している。この例では、コンテンツ提供サーバであるＷＥＢサーバ４１から収集されるＷＥＢコンテンツの個別ＲＳＳフィードのコンテンツ名（タイトル）、接続先情報（ＵＲＩ）、コンテンツ種別等の情報が保存されている。この管理テーブルを参照してＲＳＳフィードの収集及び集約の処理が実行される。
【００４３】
【表２】
0005107068.tif 000003
【００４４】
上記キャッシュ領域４３０ｂには、ＷＥＢサーバ４１から受信したＲＳＳフィードが、ＷＥＢサーバ４１の接続先情報（ＵＲＩ）と関連付けられて一時保存されている。この一時保存されたＲＳＳフィードは、例えば所定のチェック処理や集約処理が行われた後、配信コンテンツ保存領域４３０ｃに保存される。
【００４５】
上記配信コンテンツ保存領域４３０ｃには、携帯電話機１０からアクセス可能な公開ディレクトリが作成されており、この公開ディレクトリに、ＷＥＢサーバ４１から受信され所定のチェック処理や集約処理が行われた集約ＲＳＳフィードが、対応するＷＥＢサーバ４１が提供するＲＳＳフィードのＵＲＩやＷＥＢコンテンツのＵＲＩと関連付けられて保存されている。ＲＳＳフィードに画像がリンクされている場合にはその画像ファイルも保存されている。
【００４６】
また、上記テンプレート管理領域４３０ｄには、上記集約ＲＳＳフィードの作成時のひな型として用いることができる各種テンプレートのデータが保存されている。
【００４７】
また、上記特別コンテンツ登録者管理領域４３０ｅには、上記特別コンテンツの集約ＲＳＳフィードを要求して新規登録した携帯電話機の利用者に関する特別コンテンツ登録者情報が保存される。この特別コンテンツ登録者情報としては、例えば表３に示すように、利用者識別情報であるｕｉｄ、携帯電話機の種別を示す端末識別情報であるｍｓｎａｍｅ、上記特別コンテンツの集約ＲＳＳフィードが登録された登録日時等の情報が保存される。上記ｕｉｄ及びｍｓｎａｍｅの情報は、例えば携帯電話機から送信された特別コンテンツの取得要求のヘッダから読み出されて保存される。また、上記登録日時の情報は、特別コンテンツの試用期間の末日を算出するときの基準として用いたり、特別コンテンツの収集・集約処理を伴う更新処理を行うタイミング（更新サイクル）を判定するときの基準として用いたりすることができる。
【００４８】
【表３】
0005107068.tif 000004
【００４９】
上記コンテンツ収集手段４３１はＣＰＵ４２１、第１通信装置４２７等で構成され、ＨＴＴＰ等の所定の通信プロトコルを用いてインターネット３０を介してＷＥＢサーバ４１との間で通信を行う。このコンテンツ収集手段４３１は、予め設定された所定の更新時刻ごとに、又は予め設定された所定の時間間隔で定期的に、上記ＲＳＳ管理ＤＢ領域４３０ａに保存されている接続先ＵＲＩ等のＲＳＳ管理情報を参照し、複数のＷＥＢサーバ４１の接続先ＵＲＩを巡回する。この巡回時に、コンテンツ収集手段４３１は、各接続先ＵＲＩについてＲＳＳフィードが更新されているか否かを確認し、更新されている場合にのみ更新後の新しいＲＳＳフィードを受信し、上記キャッシュ領域４３０ｂに一旦保存する。このＲＳＳフィードの受信の際には、そのＲＳＳフィードの更新情報も受信され、ＲＳＳフィードに画像がリンクされている場合はその画像ファイルも受信され保存される。そして、コンテンツ収集手段４３１は、ＷＥＢサーバ４１から受信した新しいＲＳＳフィード（場合によっては画像ファイル）について、携帯電話機１０への提供のための所定条件を満たすか否かをチェックし、その所定条件を満たす場合にのみ、新しいＲＳＳフィードで、上記記憶手段４３０の配信コンテンツ保存領域４３０ｃ内の対応するＲＳＳフィードを更新する。
【００５０】
上記更新確認対象のＲＳＳフィードは、予め登録されたＷＥＢサーバ４１から提供され、例えば速報ＲＳＳフィードとその他の一般ＲＳＳフィードとに分類される。速報ＲＳＳフィードは、ニュースやブログ等の頻繁に更新される速報性が高いＷＥＢコンテンツの要約情報である。上記ＲＳＳフィードのファイル内の記述方法としては、例えばＲＳＳ１．０系又はＲＳＳ２．０系が用いられる。ＲＳＳフィードファイルのサイズは画像ファイルサイズも含めて所定サイズ（例えば１０ｋＢ（１０２４０ｂｙｔｅ））以下に規定され、ファイル内の文字コードとしては所定の文字コード（例えば、ＵＴＦ−８又はｓｈｉｆｔ−ＪＩＳ）のみが使用される。
【００５１】
上記ＲＳＳフィードにリンクされる画像は、所定の画素サイズ（例えば５０ピクセル×５０ピクセル以下）に規定され、ＲＳＳフィードのファイル内に記述される「length」要素及び「type」要素を有する「enclosure」タグで参照される。リンク先は絶対パスで記述される。また、画像ファイルとしては、所定の画像フォーマット（例えば、ＪＰＥＧ，ＰＮＧ，ＧＩＦ）のみ使用可能としてもよい。
【００５２】
上記ＷＥＢサーバ４１にＲＳＳフィードを要求する取得要求は、例えば所定のヘッダ部を有するＨＴＴＰ要求である。上記速報ＲＳＳフィードについては、比較的短い時間間隔（例えば５分間隔）でＷＥＢサーバ４１に取得要求が送信され更新確認処理が実行され、上記一般ＲＳＳフィードについては、速報ＲＳＳフィードよりも長い時間間隔（例えば１５分）で取得要求が送信され更新確認処理が実行される。
【００５３】
上記ＷＥＢサーバ４１から受信したＲＳＳフィードは、そのＸＭＬ（Extensible Markup Language）タグの開始・終了やＲＳＳファイルの書式及びサイズ等がチェックされる。表４及び表５はそれぞれＸＭＬタグ及びＲＳＳファイルのチェック項目の一例を示している。但し、ＲＳＳフィードのチェック項目は、表４及び表５に例示したものに限定されるものではない。
【００５４】
【表４】
0005107068.tif 000005
【００５５】
【表５】
0005107068.tif 000006
【００５６】
上記コンテンツ編集手段４３２はＣＰＵ４２１等で構成され、上記コンテンツ収集手段４３１で収集された複数のＷＥＢコンテンツのＲＳＳフィードを集約して集約ＲＳＳフィードを作成する編集処理を行う。このコンテンツ編集手段４３２は、例えば上記記憶手段４３０のＲＳＳ管理ＤＢ領域４３０ａに保存される管理テーブルに基づいて、キャッシュ領域４３０ｂに一旦保存されている複数のＲＳＳフィードのデータを読み出し、各ＲＳＳフィードから所定箇所のタグ記述部分を取り出して合体させるように編集処理を実行する。
【００５７】
図９は、ＷＥＢサーバ４１から収集されたＲＳＳフィードと、上記テンプレート設定情報と、編集後の集約ＲＳＳフィードとの関係の一例を示す説明図である。図９において、例えば特別コンテンツとして提供される起点７：００の第１の集約ＲＳＳフィードは、特別コンテンツのテンプレートのデータと前記表１の管理テーブルとに基づいて、ＡＡＡニュースの個別ＲＳＳフィードのＩｔｅｍ１，２とレコード・音楽ニュースの個別ＲＳＳフィードのＩｔｅｍ１，２とを合体させて集約ＲＳＳフィードを作成する。この集約前のＡＡＡニュースの及びレコード・音楽ニュースの個別ＲＳＳフィードにおけるタグ記述と、集約ＲＳＳフィードのタグ記述との関係を、図１０に示す。
【００５８】
上記コンテンツ配信手段４３３はＣＰＵ４２１、第２通信装置４２８等で構成され、ＨＴＴＰ等の所定の通信プロトコルを用いて携帯電話通信網２０を介して携帯電話機１０との間で通信を行う。このコンテンツ配信手段４３３は、携帯電話機１０から取得要求に応じて、上記記憶手段４３０の配信コンテンツ保存領域４３０ｃに保存されている集約ＲＳＳフィードを、携帯電話機１０に送信する。
【００５９】
表６及び表７は、携帯電話機１０から集約サーバ４０に集約ＲＳＳフィードを要求する取得要求としてのＨＴＴＰ要求のヘッダフィールドの一例を示している。前述の携帯電話機の利用者識別情報である「ｕｉｄ」の情報は、例えば拡張ＨＴＴＰリクエストフィールドの「x-xxxxxx-uid」に記述される。また、前述の携帯電話機の端末識別情報である「ｍｓｎａｍｅ」の情報は、例えば標準ＨＴＴＰリクエストフィールドの「User-Agent」に記述される。また、表８は、集約サーバ４０から携帯電話機１０に送られるＨＴＴＰ応答のヘッダフィールドの一例を示している。但し、ＨＴＴＰ要求のヘッダフィールドの記述内容は表６及び表７に例示したものに限定されるものではなく、また、ＨＴＴＰ応答のヘッダフィールドの記述内容は表８に例示したものに限定されるものではない。
【００６０】
【表６】
0005107068.tif 000007
【００６１】
【表７】
0005107068.tif 000008
【００６２】
【表８】
0005107068.tif 000009
【００６３】
上記判定手段４３４は上記ＣＰＵ４２１等で構成され、特別コンテンツの集約ＲＳＳフィードを要求する取得要求を携帯電話機１０から受信したときに、その特別コンテンツの試用期間が経過しているか否かを判定する。この判定は、例えば携帯電話機１０から受信した取得要求のヘッダから読み出したｕｉｄ及びｍｓｎａｍｅのデータや、携帯電話機１０から当該集約ＲＳＳフィードについて最初に取得要求を受信した最初の取得要求日の情報、に基づいて行うことができる。
【００６４】
図１１は、上記構成の携帯電話機１０による特別コンテンツの集約ＲＳＳフィード（以下、「お試しコンテンツ」という。）の更新確認設定処理の一例を示すフローチャートである。携帯電話機１０には、お試しコンテンツとして、所定の試用期間だけ試用が許可された集約ＲＳＳフィードの初回表示用の特別ＲＳＳフィードが、その取得先の接続先情報（例えば、ＵＲＩ：http://○○○○○.ne.jp/rss/xxx/yyy/index.rss）及び予め設定された所定の更新確認タイミングの情報と関連付けられてプリインストールされている。この特別ＲＳＳフィードは、例えば図１２に示すようにコンテンツ自動更新の通信サービス○○○○○○におけるお試しコンテンツを説明するテキスト文を表示するものである。また、更新確認タイミングとしては、例えば更新確認の時間間隔（例えば、４時間）が設定される。
【００６５】
図１１において、まず、携帯電話機１０の使用開始時や初期状態に戻すオールリセット時に、携帯電話機１０を操作することにより、携帯電話通信網２０における通信初期設定のための１回目のネットワーク自動調整処理を実行する（Ｓ１）。このネットワーク自動調整処理は、例えば図１３に示すネットワーク自動調整の画面で「はい」を選択することにより実行することができる。次に、ネットワーク自動調整処理時を起点として、お試しコンテンツの更新確認が開始される（Ｓ２）。この更新確認開始から最初のお試しコンテンツの更新確認処理が実行されるまでは、例えば図１４に示すように表示画面のティッカー表示領域１７ａに、前記プリインストールされたお試しコンテンツを説明するテキスト文が表示される。次に、上記お試しコンテンツの更新確認が開始された後、前記プリインストールされた更新確認タイミングの情報に基づいて、ネットワーク自動調整処理時を起点として更新確認タイミングか否かが判断される（Ｓ３）。そして、更新確認タイミングであると判断したときには、上記お試しコンテンツを要求する取得要求（更新要求）を集約サーバ４０に送信し、その取得要求に対する応答を集約サーバ４０から受信する（Ｓ４，Ｓ５）。ここで、集約サーバ４０に保存されている当該お試しコンテンツが更新されている場合は、その更新後のお試しコンテンツを上記応答として集約サーバ４０から受信する。この受信された更新後のお試しコンテンツが、例えば前記表示画面のティッカー表示領域１７ａに表示される。一方、集約サーバ４０に保存されている当該お試しコンテンツが更新されていない場合は、その更新されていない旨を示すステータスコードを含む応答を集約サーバ４０から受信する。この場合は、先に受信してキャッシュに保存されているお試しコンテンツが、例えば前記表示画面のティッカー表示領域１７ａに表示される。
【００６６】
図１５は、上記構成の集約サーバ４０におけるお試しコンテンツの配信処理の一例を示すフローチャートである。まず、集約サーバ４０は、予め設定されているお試しコンテンツ用の接続先（例えば、）に対して携帯電話機１０から送信された、お試しコンテンツを要求する取得要求（更新要求）を受信する（Ｓ１）。次に、集約サーバ４０は、携帯電話機１０から受信した取得要求のヘッダから、端末識別情報としてのｍｓｎａｍｅの値を読み出し、取得要求を送信してきた携帯電話機１０がお試しコンテンツに対応している機種か否かを判定する（Ｓ２，Ｓ３）。ここで、携帯電話機１０がお試しコンテンツに対応していない非対応の機種であると判定した場合、集約サーバ４０は、上記取得要求に対する応答として、非対応の機種である旨を通知するための特別ＲＳＳフィードである非対応通知用ＲＳＳフィードを、その携帯電話機１０に送信する（Ｓ４）。
【００６７】
上記ステップＳ３において、携帯電話機１０がお試しコンテンツに対応している対応機種であると判定した場合、集約サーバ４０は、携帯電話機１０から受信した取得要求のヘッダから、更に利用者識別情報としてのｕｉｄの値を読み出し、当該取得要求のヘッダにｕｉｄが付与されているか否かを判定する（Ｓ５，Ｓ６）。ここで、上記取得要求のヘッダにｕｉｄが付与されていないと判定した場合、集約サーバ４０は、上記取得要求に対する応答として、ｕｉｄが付与されていないためお試しコンテンツを利用できない旨を通知するための特別ＲＳＳフィードであるｕｉｄ付与なし通知用ＲＳＳフィードを、その携帯電話機１０に送信する（Ｓ７）。
【００６８】
上記ステップＳ６において、上記取得要求のヘッダにｕｉｄが付与されていると判定した場合、集約サーバ４０は、更に、上記取得要求を送信してきた携帯電話機１０の利用者についてユーザ登録されているか否かを判定する（Ｓ８）。この判定は、例えば上記取得要求のヘッダから読み出したｍｓｎａｍｅ（端末識別情報）及びｕｉｄ（利用者識別情報）に基づいて行うことができる。具体的には、上記取得要求のヘッダから読み出したｍｓｎａｍｅ及びｕｉｄの組み合わせが集約サーバ４０の特別コンテンツ登録者管理領域４３０ｅに存在している場合はユーザ登録済みと判定し、ｍｓｎａｍｅ及びｕｉｄの組み合わせが特別コンテンツ登録者管理領域４３０ｅに存在していない場合は、ユーザ登録が済んでいないと判定する。
【００６９】
上記ステップＳ８においてユーザ登録が済んでいないと判定した場合、集約サーバ４０は、ユーザ登録とタイマー登録を行う（Ｓ９，Ｓ１０）。ユーザ登録は、例えば上記取得要求のヘッダから読み出したｍｓｎａｍｅ（端末識別情報）及びｕｉｄ（利用者識別情報）を特別コンテンツ登録者管理領域４３０ｅに追加登録することにより行うことができる。また、上記タイマー登録は、例えばお試しコンテンツの試用期間の始期として、携帯電話機１０から当該お試しコンテンツについて最初に取得要求を受信した取得要求日の情報を、上記ｍｓｎａｍｅ及びｕｉｄと関連付けて特別コンテンツ登録者管理領域４３０ｅに登録することにより行うことができる。なお、取得要求日の情報には、上記取得要求を受信した時刻情報も含めてもよい。次に、集約サーバ４０は、上記ユーザ登録とタイマー登録とを行った後、上記取得要求を送信してきた携帯電話機１０に対するお試しコンテンツの配信処理を実行する（Ｓ１１）。例えば、集約サーバ４０は、上記取得要求に対する応答として、上記配信コンテンツ保存領域４３０ｃにお試しコンテンツとして保存されている集約ＲＳＳフィードを携帯電話機１０に送信する。
【００７０】
また、上記ステップＳ８においてユーザ登録が済んでいると判定した場合、集約サーバ４０は、携帯電話機１０から受信した取得要求のヘッダから読み出したｍｓｎａｍｅ（端末識別情報）及びｕｉｄ（利用者識別情報）に対応する試用期間の始期の日時情報と現在時刻情報とに基づいて、試用期間が経過しているか否かを判定する（Ｓ１２）。
【００７１】
ここで、上記試用期間が経過していないと判定された場合、集約サーバ４０は、上記取得要求に対する応答として、上記配信コンテンツ保存領域４３０ｃにお試しコンテンツとして保存されている集約ＲＳＳフィードを携帯電話機１０に送信する（Ｓ１１）。一方、試用期間が経過している場合、集約サーバ４０は、上記試用期間経過後の一定の猶予期間が経過しているか否かを更に判定する（Ｓ１３）。この猶予期間がまだ経過していない場合、集約サーバ４０は、上記取得要求に対する応答として、試用期間が終了したことを知らせるための特別ＲＳＳフィードである所定の終了ＲＳＳフィードを携帯電話機１０に送信する（Ｓ１４）。この終了ＲＳＳフィードには、更新確認処理が可能な期間が設定されていない通常コンテンツの登録を促すメッセージを含ませてもよい。
【００７２】
図１６は、お試しコンテンツ終了通知の画面の一例を示す説明図である。このお試しコンテンツ終了通知の画面には、上記集約サーバ４０から受信した終了ＲＳＳフィードに含まれている試用期間が終了したことを知らせるメッセージや、更新確認処理が可能な期間が設定されていない通常コンテンツ（以下「オススメコンテンツ」という。）の登録を促すメッセージと、継続利用しない場合のコンテンツ削除手順のメッセージとが含まれている。上記オススメコンテンツは、上記終了ＲＳＳフィードを受信した集約ＲＳＳフィードでもよいし、自動更新対象の他のコンテンツでもよい。また、図１６の例の場合、オススメコンテンツの更新処理に伴う通信には、所定の通信料が課金される。図１６の画面で、上記終了ＲＳＳフィードを受信した集約ＲＳＳフィードをオススメコンテンツとして本登録する場合は、画面中の「オススメコンテンツを登録して、継続利用する。」の下の「はい」を選択する操作を行う。これにより、所定の登録画面に遷移し、当該オススメコンテンツを自動更新コンテンツのリストに登録することができる。また、自動更新対象の他のコンテンツをオススメコンテンツとして登録する場合は、画面中の「その他のコンテンツを登録して、継続利用する。」の下の「はい」を選択する操作を行う。これにより、所定のコンテンツリストの画面に遷移し、登録対象のコンテンツを選択した後、所定の登録画面に遷移し、当該選択したコンテンツをオススメコンテンツとして自動更新コンテンツのリストに登録することができる。
【００７３】
なお、上記更新確認処理が可能な期間が設定されていない通常コンテンツの登録を促すメッセージのデータは、集約サーバ４０から受信して取得するほか、携帯電話機１０内の所定の記憶領域に予め保存しておいてもよい。また、上記通常コンテンツの登録を促す画面は、上記集約サーバ４０に集約ＲＳＳフィードの取得要求を送信したときに、上記終了ＲＳＳフィードの受信にかかわらず表示するようにしてもよい。
【００７４】
一方、上記猶予期間も経過していると判定された場合、集約サーバ４０は、上記取得要求に対する応答として、携帯電話機１０で更新確認対象からお試しコンテンツを外す削除処理を行うための削除用識別子としての所定のステータスコード（例えば、「５０４」）を含むメッセージを携帯電話機１０に送信する（Ｓ１５）。この「５０４」等のステータスコードを含むメッセージを送信する代わりに、上記削除処理用に特別に設定したヘッダフィールド（例えば、x-s- xyz-delete）を含むメッセージを送信してもよい。
【００７５】
上記集約サーバ４０から上記所定のステータスコード（例えば、「５０４」）を含むメッセージ又は上記削除処理用に特別に設定したヘッダフィールド（例えば、x-s-xyz-delete）を含むメッセージを受信した携帯電話機１０は、更新確認対象からお試しコンテンツを外す削除処理を行う。
【００７６】
以上、本実施形態によれば、携帯電話機１０の使用開始時や初期状態に戻すオールリセット時に、ネットワーク自動調整処理を行ったときに、そのネットワーク自動調整処理時を起点として、所定の試用期間だけ試用が許可されたお試しコンテンツ（特別ＲＳＳフィード）に対する更新確認処理が開始されるので、携帯電話機１０の煩雑な操作を伴うことなく、お試しコンテンツの更新確認処理を開始することができる。
【００７７】
なお、本発明は、様々な携帯電話機等の通信端末を用いる場合に適用することができる。すなわち、本発明における「通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機、固定電話機等の通話機能を有する電話機が挙げられる。また、この「通信端末」としては、上記電話機のほか、通話機能を有するＰＤＡ（Personal Digital Assistance）やパーソナルコンピュータ等の通信端末も挙げられる。
【図面の簡単な説明】
【００７８】
【図１】本発明の実施形態に係る通信システムの概略構成図。
【図２】ＷＥＢサーバのハードウェア構成のブロック図。
【図３】ＷＥＢサーバの機能ブロック図。
【図４】携帯電話機の外観図。
【図５】携帯電話機のハードウェア構成のブロック図。
【図６】携帯電話機の機能ブロック図。
【図７】集約サーバのハードウェア構成のブロック図。
【図８】集約サーバの機能ブロック図。
【図９】ＷＥＢサーバから収集されたＲＳＳフィードとテンプレート設定情報と編集後の集約ＲＳＳフィードとの関係の一例を示す説明図。
【図１０】集約前の個別ＲＳＳフィードにおけるタグ記述と集約ＲＳＳフィードのタグ記述との関係を示す説明図。
【図１１】お試しコンテンツの更新確認設定処理の一例を示すフローチャート。
【図１２】プリインストールされたお試しコンテンツの一例を示す説明図。
【図１３】ネットワーク自動調整の画面の一例を示す説明図。
【図１４】お試しコンテンツのティッカー表示の一例を示す説明図。
【図１５】集約サーバにおけるお試しコンテンツの配信処理の一例を示すフローチャート。
【図１６】お試しコンテンツ終了通知の画面の一例を示す説明図。
【符号の説明】
【００７９】
１０    携帯電話機
２０    携帯電話通信網
３０    インターネット
４０    集約サーバ（コンテンツ管理サーバ）
４１    ＷＥＢサーバ（コンテンツ提供サーバ）
１１０    コンテンツ取得手段
１１１    表示手段
１１２    記憶手段
１１３    表示制御手段
１１４    更新確認制御手段
４３０    記憶手段
４３０ａ  ＲＳＳ管理ＤＢ領域
４３０ｂ  キャッシュ領域
４３０ｃ  配信コンテンツ保存領域
４３０ｄ  テンプレート管理領域
４３０ｅ  特別コンテンツ登録者管理領域
４３１    コンテンツ収集手段
４３２    コンテンツ編集手段
４３３    コンテンツ配信手段
４３４    判定手段
【図１】
0005107068.tif 000010
【図２】
0005107068.tif 000011
【図３】
0005107068.tif 000012
【図４】
0005107068.tif 000013
【図５】
0005107068.tif 000014
【図６】
0005107068.tif 000015
【図７】
0005107068.tif 000016
【図８】
0005107068.tif 000017
【図９】
0005107068.tif 000018
【図１０】
0005107068.tif 000019
【図１１】
0005107068.tif 000020
【図１２】
0005107068.tif 000021
【図１５】
0005107068.tif 000022
【図１６】
0005107068.tif 000023
【図１３】
0005107068.tif 000024
【図１４】
0005107068.tif 000025